(57)【要約】【課題】  この発明は、円筒形のタンク等の曲線状の構造物に設置する仮設足場の組み立て、解体作業において、作業者が手摺のない踏み板上を移動する際安全帯のフックを掛け替える事なく移動できるようにした、親綱を支持する装置に関するものである。【解決手段】  クランク型支柱（１）にＬ型の板（２）を設け、その上部に自由に回転するヒトデ型の板（３）、コロ（４）、円盤（５）、軸受け（６）を設ける。  Ｌ型の板（２）及びヒトデ型の板（３）とコロ（４）に囲まれた空間に親綱（１１）を入れる。親綱（１１）にリング（１４）を取り付け、建枠（１２）にパイプクランプ（９）で固定する。  作業員は、安全帯のフック（１３）をリング（１４）に掛けてから踏み板（１５）上へ出る。作業員が移動すると、リング（１４）が追従してきてヒトデ型の板（３）の足に当たり、その後足の間に入り移動方向へ抜けるので、作業員は安全帯のフック（１３）を掛け替える事なく自由に踏み板（１５）上を移動できる。【選択図】    図８
2005105795.tif 000002
【特許請求の範囲】
【請求項１】
（イ）クランク型支柱（１）に親綱の加重を受けるＬ型の板（２）を設ける。
（ロ）クランク型支柱（１）の上部に親綱の外れ防止用の回転するヒトデ型の板（３）を設ける。
（ハ）ヒトデ型の板（３）の下側の各足元部分に親綱を保持するコロ（４）とその下にコロ（４）の下部を支持する円盤（５）を設ける。
（ニ）ヒトデ型の板（３）と円盤（５）の間に軸受け（６）を設ける。
（ホ）クランク型支柱（１）の頂部に、座金（７）とボルト（８）を設ける。
（ヘ）クランク型支柱（１）の下部にパイプクランプ（９）を設ける。
以上の如く構成された、曲線仮設足場の親綱支持装置。
【請求項２】
コロ（４）を摩擦係数の小さい材質の物（１０）に変えた請求項１の曲線仮設足場の親綱支持装置。
【発明の詳細な説明】
【発明の詳細な説明】
【技術分野】
【０００１】  この発明は、円筒形のタンク等の曲線状の構造物に設置する仮設足場の組み立て、解体作業において、作業者が手摺のない踏み板上を移動する際安全帯のフックを掛け替える事なく移動できるようにした、親綱を支持する装置に関するものである。
【背景技術】
【０００２】  従来、曲線状に組み立てる仮設足場の安全対策としては、水平に親綱を設置する事が困難であるため曲線状の構造物の屋根部分より親綱を垂直に適宜な間隔に下ろして、その親綱に安全帯のフックを取り付けて万一の墜落災害に備えて作業していた。この方法だと下層から上層へ組み立てが進むにつれて、作業者の移動範囲がだんだん狭くなってくる。最終的に曲線状の構造物の屋根付近の高さまでくると親綱を使っての移動が非常に困難となり、移動の際親綱から安全帯のフックを外す事態が頻発し非常に危険であった。
【発明が解決しようとする課題】
【０００３】  従来の垂直に設置する親綱では、足場作業が上層に進むにしたがって移動範囲が狭くなるので親綱より安全帯のフックを外す事態が発生する。また、曲線状の構造物の屋根より親綱を下ろし、その上端を固定する時も非常に危険であった。
更に、円筒形のタンク等の壁面の塗装工事においては、塗装が済み足場を解体する際、親綱に付いている安全帯のフック掛け金具が仕上った塗装面に当たり塗装面を傷つける事もしばしばあった。
本発明は、完成した手摺の有る仮設足場より安全に親綱及び曲線仮設足場の親綱支持装置を取り付けることができると共に、親綱に取り付けたリングに一度安全帯のフックを掛けるとその層の足場作業が完了するまで安全帯のフックを外す必要がなく、両手に物を持って移動できるので作業者は安全に作業できるようになる。
又、屋根より親綱を下ろして固定する作業が省けるため、壁面を傷付ける事がなくなる。その結果、危険が減少し作業効率が向上する。
【課題を解決するための手段】
【０００４】  いま、その構成を説明すると、
（イ）クランク型支柱（１）に親綱（１１）の加重を受けるＬ型の板（２）を設ける。
（ロ）クランク型支柱（１）の上部に親綱（１１）の外れ防止用のヒトデ型の回転する板（３）を設ける。
（ハ）ヒトデ型の板（３）の下側の各足元部分に親綱（１１）を保持するコロ（４）とその下にコロ（４）の下部を支持する円盤（５）と軸受け（６）を設ける。
（ニ）Ｌ型の板（２）及びヒトデ型の板（３）とコロ（４）に囲まれた空間に親綱（１１）を入れる、これを作業範囲の仮設足場の建枠（１２）の数と同じ数量作る。
（ホ）階段位置にくる親綱（１１）の部位に、安全帯のフック（１３）を掛けるリング（１４）を取り付ける。
（ヘ）仮設足場の各建枠（１２）の内側支柱の上部にパイプクランプ（９）で順次固定する。
（ト）親綱（１１）の一方を端の建枠（１２）に固定し、他方を親綱（１１）が弛まないように張り建枠（１２）に固定する。
以上のように装置する。
【発明を実施するための最良の形態】
【０００５】  次に本発明の実施の形態を述べると、作業員は完成した仮設足場の階段を上り、足場の組み立てを開始する踏み板（１５）上に出る直前に安全帯のフック（１３）を、親綱（１１）に付いているリング（１４）に確実に掛けてから踏み板（１５）上に出る。作業員が踏み板（１５）上を移動すると、安全帯のフック（１３）を掛けたリング（１４）が追従してくる。リング（１４）がヒトデ型の板（３）の足の部分に当たると、ヒトデ型の板（３）は作業員が移動した方向へ回転を始める、そのまま移動を続けるとリング（１４）はヒトデ型の板（３）の足の間に入り、その後、移動方向側に抜ける。よって、作業員は安全帯のフック（１３）を掛け替えする事なく自由に移動できる。
Ｌ型の板（２）の先端部の長さ（１６）は、ヒトデ型の板（３）の足先間の長さ（１７）より長いので、ヒトデ型の板（３）がどのように回転しても足先の一つは常にＬ型の板（２）の先端部にくる。したがって、親綱（１１）は、Ｌ型の板（２）及びヒトデ型の板（３）とコロ（４）に囲まれた空間から外れることはない。
なを、コロ（４）は、自転しなくても摩擦係数の小さい材質の物（１０）であれば同じ効果がある。
また、円筒形の構造物の直径が１０ｍ未満の場合、親綱（１１）の屈折角度が１０°以上（１８）に大きくなるのでヒトデ型の板（３）の足の数を一つ減じ５ケにすることにより、リング（１４）とヒトデ型の板（３）の足先との衝突を回避できる。その結果、リング（１４）はヒトデ型の板（３）の足の間を円滑に通過することができる。
足場の解体については、組み立ての逆の手順で行う。
【発明の効果】
【０００６】  したがって、何もない踏み板上で作業員が、万一貧血等の体調不良をおこすような事があっても、突風や地震等の不意の事象が発生しても、重大災害になる墜落事故を防止することができる。
【図面の簡単な説明】
【図１】            本発明の側面図
【図２】            本発明の平面図
【図３】            本発明の底面図
【図４】            本発明のＡ−Ａ断面図
【図５】            本発明のコロを摩擦係数の小さい材質の物に替えた側面図
【図６】            本発明のコロを摩擦係数の小さい材質の物に替えたＢ−Ｂ断面図
【図７】            本発明の取り付け側面図
【図８】            本発明の使用状況斜視図
【図９】            本発明のリング通過状況の平面図
【図１０】            本発明のリング通過状況のＣ−Ｃ断面図
【図１１】            本発明のヒトデ状の板（３）の足の数を一つ減じた平面図
【図１】
2005105795.tif 000003
【図２】
2005105795.tif 000004
【図３】
2005105795.tif 000005
【図４】
2005105795.tif 000006
【図５】
2005105795.tif 000007
【図６】
2005105795.tif 000008
【図７】
2005105795.tif 000009
【図８】
2005105795.tif 000010
【図９】
2005105795.tif 000011
【図１０】
2005105795.tif 000012
【図１１】
2005105795.tif 000013